(57)【要約】【課題】同軸ケーブルをしっかりと固定可能な同軸ケーブル用押止部材付きコネクタを提供する。【解決手段】同軸ケーブル用押止部材付きコネクタには、ケース１０と絶縁台２０と内端子３０と押止部材４０とを備える。ケースには、連接段１１とワイヤ挟み段１２とを含む。絶縁台にはスリーブ部２１を含み、スリーブ部の周縁からは連接台２２が設けられ、接台の末端にはワイヤ挿入穴２２１が凹設され、ワイヤ挿入穴の穴縁からは絶縁押え片２３が伸び、挿入口２１１と対向する側には収容穴２４が凹設され、収容穴からは絶縁止め片２５が伸びる。内端子には基板３１を含み、基板の端には端子挟み片３２が設けられる。押止部材には係止板部４１を含み、係止板部の一側には一体成形された押止段４２が設けられる。【選択図】図１
0003131281.tif 000002
【実用新案登録請求の範囲】
【請求項１】
連接段と、ワイヤ挟み段とを含むケースと、
スリーブ部を含み、前記スリーブ部の周縁からは径方向に伸びた連接台が設けられ、前記連接台の末端には内側に凹んだワイヤ挿入穴が凹設され、前記ワイヤ挿入穴の穴縁からは絶縁押え片が伸び、底部、すなわち、挿入口と対向する側には収容穴が凹設され、前記収容穴の穴縁からは絶縁止め片が伸びている絶縁台と、
前記絶縁台の収容穴に入れられ、基板を含み、前記基板の第一端には径方向に凸設され前記絶縁台のスリーブ部に貫入された端子挟み片が設けられた内端子と、
前記絶縁台の絶縁押え片にある係り溝と係合する係止板部を含み、前記係止板部の一側には、前記係止板部と一体成形され湾折されて伸びた押止段が設けられた押止部材と、を備える同軸ケーブル用押止部材付きコネクタにおいて、
湾折された前記絶縁止め片が内端子の基板の外周に寄せられ、ケースの連接段に対応する箇所が湾折され、前記連接段の中心軸心線がワイヤ挟み段と直交する状態にされ、前記信号ワイヤ段が内端子の基板を跨るように、前記絶縁台の連接台の末端にあるワイヤ挿入穴には同軸ケーブルの信号ワイヤ段が挿入され、前記ケースのワイヤ挟み段が挟まれ、前記絶縁押え片が駆動され前記押止部材が連動され、前記押止部材により前記信号ワイヤ段が押止され内端子の基板とラップされることを特徴とする同軸ケーブル用押止部材付きコネクタ。
【請求項２】
前記押止部材の係止板部と押止段との連結体の断面は、Ｕ字形を呈することを特徴とする請求項１に記載の同軸ケーブル用押止部材付きコネクタ。
【請求項３】
前記押止部材の押止段の信号ワイヤ段が押止されるプレートは、フラットであることを特徴とする請求項１に記載の同軸ケーブル用押止部材付きコネクタ。
【請求項４】
前記押止部材の押止段の信号ワイヤ段が押止されるプレートには、前記信号ワイヤ段の周面と合う円弧形状の溝が開設されることを特徴とする請求項１に記載の同軸ケーブル用押止部材付きコネクタ。
【考案の詳細な説明】
【技術分野】
【０００１】
本考案は、同軸ケーブル用押止部材付きコネクタに係り、特に、同軸ケーブルを挿入する前に、内端子が設けられた絶縁台をケースに嵌めて、連接段を９０度に湾折した後、同軸ケーブルを挿入して挟むことにより同軸ケーブルをしっかりと固定可能な同軸ケーブル用押止部材付きコネクタに関するものである。
【背景技術】
【０００２】
目下、市販されている同軸ケーブル用コネクタには、図１０と図１１とに示すように、連接部５１１とワイヤ挟み段５１２とを含むケース５１と、ケース５１の連接部５１１に嵌められ、絶縁仕切板５２１を含む絶縁台５２と、前記絶縁台５２内に設置され、基板５３１を含み、前記基板５３１の第一端の近傍には常時前記絶縁台５２内に設置される端子挟み片５３２が凸設され、前記端子挟み片５３２はケース５１の連接部５１１に対応し、前記基板５３１の第一端の端縁にはラップ用ストリップ５３３が伸びる内端子５３とを含む。
上記同軸ケーブル用コネクタの組付方法は、図１０に示すように、内端子５３の基板５３１とラップ用ストリップ５３３との間に、同軸ケーブル５４の信号ワイヤ段５４１を挿入し、ケース５１の連接部５１１をＲ方向へ９０度湾折し、同軸ケーブル５４をケース５１のワイヤ挟み段５１２に跨らせると共に、内端子５３の基板５３１とラップ用ストリップ５３３との間に、同軸ケーブル５４の信号ワイヤ段５４１をしっかりと挟み、また、内端子５３のラップ用ストリップ５３３とケース５１のワイヤ挟み段５１２とを絶縁仕切板５２１で電気的に絶縁し、ワイヤ挟み段５１２により同軸ケーブル５４がしっかり挟まれ、図１１に示すように組付作業が完成する。
【考案の開示】
【考案が解決しようとする課題】
【０００３】
しかしながら、従来の同軸ケーブル用コネクタにおいて、その組付方法は、まず、内端子５３の基板５３１と、ラップ用ストリップ５３３との間に、同軸ケーブル５４の信号ワイヤ段５４１を挿入し、ケース５１の連接部５１１と一緒に９０度旋回することが必要であるが、信号ワイヤ段５４１が内端子５３にしっかりと固定されていないため、旋回する過程中に、信号ワイヤ段５４１が内端子５３からスリップして離脱することがあり、不良率が高くなる欠点があった。
【課題を解決するための手段】
【０００４】
上記目的を達成するために、本考案では連接段とワイヤ挟み段とを含むケースと、スリーブ部を含み、前記スリーブ部の周縁からは径方向に伸びた連接台が設けられ、前記連接台の末端には内側に凹んだワイヤ挿入穴が凹設され、前記ワイヤ挿入穴の穴縁からは絶縁押え片が伸び、その底部、すなわち、挿入口に対向する側には収容穴が凹設され、前記収容穴の穴縁からは絶縁止め片が伸びる絶縁台と、前記絶縁台の収容穴に入れられ、基板を含み、前記基板の第一端には径方向に凸設され前記絶縁台のスリーブ部に貫入された端子挟み片が設けられた内端子と、前記絶縁台の絶縁押え片にある係り溝と係合する係止板部を含み、前記係止板部の一側には前記係止板部と一体成形され湾折されて伸びる押止段が設けられた押止部材とを含む同軸ケーブル用押止部材付きコネクタにおいて、湾折された前記絶縁止め片を内端子の基板の外周に寄った後、ケースの連接段に対応する箇所を湾折して、前記連接段の中心軸心線をワイヤ挟み段と直交する状態にした後、信号ワイヤ段が内端子の基板を跨るように、前記絶縁台の連接台の末端にあるワイヤ挿入穴に同軸ケーブルの信号ワイヤ段を挿入し、前記ケースのワイヤ挟み段を挟んだ後、前記絶縁押え片を駆動して前記押止部材を連動し、前記押止部材により前記信号ワイヤ段が押止され内端子の基板としっかりとラップすることを特徴とする同軸ケーブル用押止部材付きコネクタであることを要旨としている。
本考案では、前記押止部材の係止板部と押止段との連結体の断面はＵ字形を呈することを特徴とする請求項１に記載の同軸ケーブル用押止部材付きコネクタであることを要旨としている。
本考案では、前記押止部材の押止段の信号ワイヤ段を押止するためのプレートはフラットであることを特徴とする請求項１に記載の同軸ケーブル用押止部材付きコネクタであることを要旨としている。
本考案では、前記押止部材の押止段の信号ワイヤ段を押止するためのプレートには、前記信号ワイヤ段の周面とぴったり合う円弧形状の溝が開設されることを特徴とする請求項１に記載の同軸ケーブル用押止部材付きコネクタであることを要旨としている。
【考案の効果】
【０００５】
本考案の同軸ケーブル用押止部材付きコネクタは、同軸ケーブルを挿入する前に、内端子が設けられた絶縁台をケースに嵌め、連接段を９０度に湾折した後、同軸ケーブルを挿入して挟むことにより同軸ケーブルをしっかりと固定可能になる効果がある。
【考案を実施するための最良の形態】
【０００６】
以下、図面を参照して本考案の好適な実施の形態を詳細に説明する。
まず、図１から図９を参照する。本実施例の同軸ケーブル用押止部材付きコネクタには、ケース１０と絶縁台２０と内端子３０と押止部材４０とを含む。前記ケース１０と内端子３０とは導電性材料で作製されたものであり、前記内端子３０は前記絶縁台２０内に設置され、且つ前記絶縁台２０はケース１０に挟まれ、なお、絶縁台２０は前記押止部材４０に係止される。
【０００７】
本実施例の同軸ケーブル用押止部材付きコネクタは、図１または図４から図６に示すように、前記ケース１０は、連接段１１を含み、円筒形状を呈し、前記連接段１１の端縁からはワイヤ挟み段１２が伸び、前記ワイヤ挟み段１２にはプレート１２１を含み、前記プレート１２１の両側には外絶縁層挟み片１２２、織り層挟み片１２３及び信号ワイヤ緊迫片１２４がそれぞれ凸設され、前記外絶縁層挟み片１２２、織り層挟み片１２３及び信号ワイヤ緊迫片１２４は、それぞれ同軸ケーブル６０の外絶縁層６１、織り層６２、内絶縁層６３及び信号ワイヤ段６４をしっかりと挟む。
【０００８】
図１から図５に示すように、本実施例の同軸ケーブル用押止部材付きコネクタでは、絶縁台２０は、スリーブ部２１を含み、ケース１０の連接段１１に挿入され、挿入口２１１を有し、前記スリーブ部２１の周縁からは連接台２２が径方向に伸び、前記連接台２２の末端にはワイヤ挿入穴２２１が凹設され、前記ワイヤ挿入穴２２１の穴縁からは絶縁押え片２３が伸び、その底部、すなわち、挿入口に対向する側には収容穴２４が凹設され、前記収容穴２４の穴縁からは絶縁止め片２５が伸びる。
【０００９】
図１から図５に示すように、本実施例の内端子３０は、プレス加工により金属プレートを一体成形したものであり、基板３１を含み、前記絶縁台２０の収容穴２４に入れられ、裸にされた状態で前記ワイヤ挿入穴２２１に挿入され、前記基板３１の第一端には径方向に凸設され前記絶縁台２０のスリーブ部２１に貫入された端子挟み片３２が設けられる。
【００１０】
本実施例の押止部材４０には前記絶縁台２０の絶縁押え片２３にある係り溝２３１と係合する係止板部４１を含み、前記係止板部４１の一側には前記係止板部４１と一体成形され湾折されて伸びた押止段４２が設けられる。
本実施例の押止部材４０は、その係止板部４１と押止段４２との連結体の断面がＵ字形を呈し、これにより、前記押止部材４０は信号ワイヤ段６４を弾性的に押止することができる。しかし、本実施例の押止部材４０は上記の形状に限定されない。
【００１１】
本実施例の同軸ケーブル用押止部材付きコネクタにおいて、その作製方法は、プレス加工によりケース１０を成形するとき、図１と図４とに示すように、連接段１１の中心軸心線１１０がワイヤ挟み段１２のプレート１２１の中心線１２０と平行する。また、その組付方法は、まず、絶縁台２０のスリーブ部２１を連接段１１に入れ、絶縁台２０の収容穴２４に内端子３０を入れ、図４に示すように、絶縁止め片２５をＴ方向へ湾折させて内端子３０の基板３１の外側に寄って、絶縁止め片２５のケース１０にある連接段１１と対応する箇所を湾折する。そうすると、固定板１１１はワイヤ挟み段１２の両側に移動され信号ワイヤ緊迫片１２４に対応し、これにより、連接段１１の中心軸心線１１０とワイヤ挟み段１２の中心線１２０とが直交状態になる。このとき、絶縁止め片２５は、内端子３０の基板３１とケース１０のワイヤ挟み段１２のプレート１２１との間に介在するようになる（内端子２３１がケース３０、１０と短絡することを回避）。また、図５と図６とに示すように、同軸ケーブル６０の信号ワイヤ段６４を絶縁台２０の連接台２２の末端にあるワイヤ挿入穴２２１に挿入し内端子３０の基板３１を跨らせる。そうすると、ケース１０のワイヤ挟み段１２の両側にある信号ワイヤ緊迫片１２４を押えると、図６と図７とに示すように、絶縁押え片２３は押止部材４０を連動し押止部材４０が信号ワイヤ段６４を押さえ、これにより、信号ワイヤ段６４が内端子３０の基板３１としっかりとラップする。すなわち、信号ワイヤ段６４と基板３１とが電気的に連接され、また、連接段１１の固定板１１１が信号ワイヤ緊迫片１２４内に挟まれ、連接段１１が安定して固定される。
【００１２】
また、図８と図９とに示すように、別の実施例の同軸ケーブル用押止部材付きコネクタは、ケース１０ａのワイヤ挟み段１２の外絶縁層挟み片１２２と織り層挟み片１２３とに、外絶縁層６１、織り層６２、内絶縁層６３及び信号ワイヤ段６４を安定して挟むための挟みリブ１２２ａ、１２３ａがそれぞれ設けてある。
【００１３】
上記の説明を纏めると、本実施例の同軸ケーブル用押止部材付きコネクタの構造は下記の特徴を有する。
（イ）同軸ケーブル６０を挿入する前に、まず、内端子３０が設けられた絶縁台２０をケース１０に嵌めて、連接段１１を９０度に湾折した後、同軸ケーブル６０を挿入して挟むことにより同軸ケーブル６０をしっかりと固定可能である。
【００１４】
（ロ）ケース１０のワイヤ挟み段１２の両側にある信号ワイヤ緊迫片１２４を押えることにより、絶縁台２０の絶縁押え片２３が信号ワイヤ段６４へ移動し、そうすると、絶縁押え片２３に係止される押止部材４０は、信号ワイヤ段６４をしっかりと押止し、信号ワイヤ段６４を内端子３０の基板３１にラップすることができ、すなわち、信号ワイヤ段６４と基板３１とが電気的に連接され、また、連接段１１の固定板１１１が信号ワイヤ緊迫片１２４内に挟まれ、連接段１１が安定して固定される。
なお、本考案は前述の実施の形態に限定されるものではなく、本考案の趣旨に基づいて種々変形させることが可能であり、それらを本考案の範囲から排除するものではない。
【図面の簡単な説明】
【００１５】
【図１】本考案の一実施例における同軸ケーブル用押止部材付きコネクタを示す分解斜視図である。
【図２】本考案の一実施例における同軸ケーブル用押止部材付きコネクタの絶縁台、内端子および押止部材を示す分解斜視図である。
【図３】図２の各部品が組付された状態を示す概略図である。
【図４】本考案の一実施例における同軸ケーブル用押止部材付きコネクタの各部品が組付された状態を示す概略図である。
【図５】本考案の一実施例における同軸ケーブル用押止部材付きコネクタの連接段が外側に湾折された状態を示す概略図である。
【図６】図５に同軸ケーブルが挿入された状態を示す概略図である。
【図７】本考案の一実施例における同軸ケーブル用押止部材付きコネクタにより同軸ケーブルが固定された状態を示す概略図である。
【図８】本考案の別の実施例における同軸ケーブル用押止部材付きコネクタを示す概略図である。
【図９】図８の同軸ケーブルが固定された状態を示す概略図である。
【図１０】従来の同軸ケーブル用コネクタの構造を示す断面図である。
【図１１】従来の同軸ケーブル用コネクタのケースが外側に湾折された状態を示す概略図である。
【符号の説明】
【００１６】
１０：ケース、１０ａ：ケース、１１：連接段、１１０：中心軸心線、１１１：固定板、１２：ワイヤ挟み段、１２０：中心線、１２１：プレート、１２２：外絶縁層挟み片、１２２ａ：挟みリブ、１２３：織り層挟み片、１２３ａ：挟みリブ、１２４：信号線緊迫片、２０：絶縁台、２１：スリーブ部、２１１：挿入口、２２：連接台、２２１：ワイヤ挿入穴、２３：絶縁押え片、２３１：係り溝、２４：収容穴、２５：絶縁止め片、２３１：内端子、３０：内端子、３１：基板、３２：端子挟み片、４０：押止部材、４１：係止板部、４２：押止段、５１：ケース、５１１：連接部、５１２：ワイヤ挟み段、５２：絶縁台、５２１：絶縁仕切板、５３：内端子、５３１：基板、５３２：端子挟片、５３３：ラップ用ストリップ、５４：同軸ケーブル、５４１：信号ワイヤ段、６０：同軸ケーブル、６１：外絶縁層、６２：織り層、６３：内絶縁層、６４：信号ワイヤ段
【図１】
0003131281.tif 000003
【図２】
0003131281.tif 000004
【図３】
0003131281.tif 000005
【図４】
0003131281.tif 000006
【図５】
0003131281.tif 000007
【図６】
0003131281.tif 000008
【図７】
0003131281.tif 000009
【図８】
0003131281.tif 000010
【図９】
0003131281.tif 000011
【図１０】
0003131281.tif 000012
【図１１】
0003131281.tif 000013